(57)【要約】【課題】画像形成装置を提供する。【解決手段】画像形成装置１は、撮影装置２０と、生成部１５４と、画像形成部３０とを備える。撮影装置２０は、第１被写体を撮影して、第１被写体を示す第１被写体画像Ｐ１０を含む第１撮影画像Ｐ１を生成する。撮影装置２０は、第２被写体を撮影して、第２被写体を示す第２被写体画像Ｐ２０を含む第２撮影画像Ｐ２を生成する。生成部１５４は、第１撮影画像Ｐ１と第２撮影画像Ｐ２とに基づいて、合成画像ＣＰ１を生成する。画像形成部３０は、シートＳの一対の面の内の一方に合成画像ＣＰ１を形成する。シートＳに形成された合成画像ＣＰ１に含まれる第１被写体画像Ｐ１０のサイズは、第１被写体のサイズと一致する。シートＳに形成された合成画像ＣＰ１に含まれる第２被写体画像Ｐ２０のサイズは、第２被写体のサイズと一致する。【選択図】図４
2020031355.tif 000002
【特許請求の範囲】
【請求項１】
撮影装置と、生成部と、画像形成部とを備えた画像形成装置であって、
前記撮影装置は、
第１被写体を撮影して、前記第１被写体を示す第１被写体画像を含む第１撮影画像を生成し、
第２被写体を撮影して、前記第２被写体を示す第２被写体画像を含む第２撮影画像を生成し、
前記生成部は、前記第１撮影画像と前記第２撮影画像とに基づいて、合成画像を生成し、
前記画像形成部は、記録媒体の一対の面の内の一方に前記合成画像を形成し、
前記合成画像は、前記第１撮影画像と前記第２撮影画像の少なくとも一部とが重なる画像を示し、
前記記録媒体に形成された前記合成画像に含まれる前記第１被写体画像のサイズは、前記第１被写体のサイズと一致し、
前記記録媒体に形成された前記合成画像に含まれる前記第２被写体画像のサイズは、前記第２被写体のサイズと一致する、画像形成装置。
【請求項２】
ユーザーからの操作を受け付け、操作情報を出力する操作装置と、
第１表示領域と第２表示領域とを有する表示部と、
前記表示部を制御する表示制御部とを更に備え、
前記表示制御部は、
前記表示部が前記第１表示領域に前記第１撮影画像と前記第２撮影画像とを表示するように、前記表示部を制御し、
前記操作情報に基づいて、前記表示部が前記第２表示領域に前記合成画像を表示するように、前記表示部を制御し、
前記操作情報は、前記第１表示領域に表示された前記第１撮影画像に対する第１操作情報と、前記第１表示領域に表示された前記第２撮影画像に対する第２操作情報とを含む、請求項１に記載の画像形成装置。
【請求項３】
前記第１操作情報は、前記第１表示領域に表示された前記第１撮影画像を前記第２表示領域に表示させる操作を示し、
前記第２操作情報は、前記第１表示領域に表示された前記第２撮影画像を前記第２表示領域に表示させる操作を示す、請求項２に記載の画像形成装置。
【請求項４】
前記第１操作情報は、前記第１表示領域に表示された前記第１撮影画像を前記第１表示領域から前記第２表示領域に移動させる操作を示し、
前記第２操作情報は、前記第１表示領域に表示された前記第２撮影画像を前記第１表示領域から前記第２表示領域に移動させる操作を示す、請求項２または請求項３に記載の画像形成装置。
【請求項５】
前記表示制御部は、
前記第１被写体のサイズよりも小さい前記第１被写体画像を前記表示部が前記第１表示領域に表示するように、前記表示部を制御し、
前記第２被写体のサイズよりも小さい前記第２被写体画像を前記表示部が前記第１表示領域に表示するように、前記表示部を制御し、
前記第１表示領域に表示された前記第１被写体画像のサイズよりも大きい前記第１被写体画像を前記表示部が前記第２表示領域に表示するように、前記表示部を制御し、
前記第１表示領域に表示された前記第２被写体画像のサイズよりも大きい前記第２被写体画像を前記表示部が前記第２表示領域に表示するように、前記表示部を制御する、請求項２から請求項４のいずれか１項に記載の画像形成装置。
【請求項６】
前記表示制御部は、
前記第２表示領域に前記第１撮影画像を表示する場合、前記第１撮影画像の内の前記第１被写体画像以外の部分を特殊状態で表示し、
前記第２表示領域に前記第２撮影画像を表示する場合、前記第２撮影画像の内の前記第２被写体画像以外の部分を前記特殊状態で表示し、
前記特殊状態は、透明及び半透明を含む、請求項２から請求項４のいずれか１項に記載の画像形成装置。
【請求項７】
編集部を更に備え、
前記編集部は、前記第２表示領域に表示された前記第１撮影画像と前記第２撮影画像とを編集可能であり、
前記生成部は、前記第１撮影画像と前記第２撮影画像とに基づいて、前記合成画像を生成する、請求項２から請求項６のいずれか１項に記載の画像形成装置。
【請求項８】
画像形成装置の画像生成方法であって、
第１被写体を撮影して、第１被写体画像を含む第１撮影画像を生成するステップと、
第２被写体を撮影して、第２被写体画像を含む第２撮影画像を生成するステップと、
前記第１撮影画像と前記第２撮影画像とに基づいて、合成画像を生成するステップと、
記録媒体の一対の面の内の一方に前記合成画像を形成するステップと
を備え、
前記合成画像は、前記第１撮影画像と前記第２撮影画像との少なくとも一部とが重なっている画像を示し、
前記合成画像に含まれる前記第１被写体画像のサイズは、前記第１被写体のサイズと一致し、
前記合成画像に含まれる前記第２被写体画像のサイズは、前記第２被写体のサイズと一致する、画像生成方法。
【発明の詳細な説明】
【技術分野】
【０００１】
本発明は、画像形成装置及び画像生成方法に関する。
【背景技術】
【０００２】
一般に、集約機能を有する画像形成装置が知られている。集約機能は、複数の画像データを１枚の記録媒体の一対の面の内の一方に形成する機能である。特許文献１に記載の画像形成装置は、画像データを縮小し、複数の画像データを１枚の記録媒体の一対の面の内の一方に縮小した画像を形成できる。
【先行技術文献】
【特許文献】
【０００３】
【特許文献１】特開２００１−２５３１３５号公報
【発明の概要】
【発明が解決しようとする課題】
【０００４】
しかしながら、特許文献１に記載の画像形成装置の集約機能は、複数の画像データを縮小して１枚の記録媒体に形成するため、記録媒体に形成された画像を確認することが困難であった。
【０００５】
本発明は上記課題に鑑みてなされたものであり、複数の画像データを縮小せずに記録媒体に形成することができる画像形成装置及び画像生成方法を提供することを目的とする。
【課題を解決するための手段】
【０００６】
本発明の一局面に係る画像形成装置は、撮影装置と、生成部と、画像形成部とを備える。前記撮影装置は、第１被写体を撮影して、前記第１被写体を示す第１被写体画像を含む第１撮影画像を生成する。前記撮影装置は、第２被写体を撮影して、前記第２被写体を示す第２被写体画像を含む第２撮影画像を生成する。前記生成部は、前記第１撮影画像と前記第２撮影画像とに基づいて、合成画像を生成する。前記画像形成部は、記録媒体の一対の面の内の一方に前記合成画像を形成する。前記合成画像は、前記第１撮影画像と前記第２撮影画像の少なくとも一部とが重なる画像を示す。前記記録媒体に形成された前記合成画像に含まれる前記第１被写体画像のサイズは、前記第１被写体のサイズと一致する。前記記録媒体に形成された前記合成画像に含まれる前記第２被写体画像のサイズは、前記第２被写体のサイズと一致する。
【０００７】
本発明の一局面に係る画像形成方法は、第１撮影画像を生成するステップと、第２撮影画像を生成するステップと、合成画像を生成するステップと、合成画像を形成するステップとを備える。前記第１撮影画像を生成するステップは、第１被写体を撮影して、第１被写体画像を含む第１撮影画像を生成する。前記第２撮影画像を生成するステップは、第２被写体を撮影して、第２被写体画像を含む第２撮影画像を生成する。前記合成画像を生成するステップは、前記第１撮影画像と前記第２撮影画像とに基づいて、合成画像を生成する。前記合成画像を形成するステップは、前記合成画像に基づいて、記録媒体の一対の面の内の一方に合成画像を形成する。前記合成画像は、前記第１撮影画像と前記第２撮影画像との少なくとも一部とが重なっている画像を示す。前記合成画像に含まれる前記第１被写体画像は、前記第１被写体のサイズと一致する。前記合成画像に含まれる前記第２被写体画像は、前記第２被写体のサイズと一致する。
【発明の効果】
【０００８】
本発明の画像形成装置によれば、複数の画像データを縮小せずに記録媒体に形成することができる。
【図面の簡単な説明】
【０００９】
【図１】本発明の実施形態１に係る操作装置を備える画像形成装置を示す図である。
【図２】本発明の実施形態１に係る画像形成装置のブロック図を示す図である。
【図３】（ａ）は、撮影装置が生成した第１画像を示す図である。（ｂ）は、撮影装置が生成した第２画像と示す図である。
【図４】本発明の実施形態１に係る表示部を示す図である。
【図５】本発明の実施形態１に係る合成画像を示す図である。
【図６】合成画像を生成するフローチャートを示す図である。
【図７】（ａ）は、本発明の実施形態２に係る画像形成装置の撮影装置が生成した第３画像を示す図である。（ｂ）は、本発明の実施形態２に係る画像形成装置の撮影装置が生成した第４画像Ｐ４と示す図である。
【図８】本発明の実施形態２に係る画像形成装置の表示部を示す図である。
【図９】本発明の実施形態２に係る画像形成装置の表示部を示す図である。
【図１０】本発明の実施形態２に係る画像形成装置の表示部を示す図である。
【図１１】本発明の実施形態２に係る画像形成装置の合成画像を示す図である。
【発明を実施するための形態】
【００１０】
［実施形態１］
以下、本発明の実施形態１について、図面を参照しながら説明する。なお、図中、同一または相当部分については同一の参照符号を付して説明を繰り返さない。
【００１１】
次に、図１を参照して、実施形態１に係る操作装置１００を備える画像形成装置１を説明する。図１は、操作装置１００を備える画像形成装置１を示す図である。
【００１２】
画像形成装置１は、撮影装置２０と、画像形成部３０と、給紙部４０と、搬送経路５０と、定着部６０と、排出部７０と、記憶部８０と、制御部９０と、操作装置１００とを備える。
【００１３】
撮影装置２０は、被写体を撮影する。撮影装置２０は、被写体を走査して、画像データを取得する。撮影装置２０は、被写体の情報を得るためのスキャナーである。撮影装置２０は、コンタクトガラスと、プラテンカバーと、発光部と、イメージセンサーとを含む。
【００１４】
コンタクトガラスには、被写体が載置される。プラテンカバーは、コンタクトガラスを覆う。発光部は、例えば、ＬＥＤ（Ｌｉｇｈｔ  Ｅｍｉｔｔｉｎｇ  Ｄｉｏｄｅ）である。イメージセンサーは、被写体の情報を取得する。イメージセンサーは、例えば、ＣＣＤ（Ｃｈａｒｇｅ Ｃｏｕｐｌｅｄ Ｄｅｖｉｃｅ）である。ＣＣＤは、被写体が載置されるコンタクトガラスに沿って往復移動する。
【００１５】
画像形成部３０は、シートＳにトナー像を形成する。画像形成部３０は、作像部と、トナー補給装置とを備える。シートＳは、「記録媒体」の一例に相当する。
【００１６】
作像部は、トナー像をシートＳに形成する。作像部は、感光体ドラムと、現像装置と、転写装置とを含む。
【００１７】
感光体ドラムは、画像データに基づいて、静電潜像を形成する。現像装置は、現像ローラーを有する。現像ローラーは、感光体ドラムにトナーを供給して静電潜像を現像させることで、感光体ドラムにトナー像を形成する。現像装置には、トナー補給装置からトナーが補給される。
【００１８】
転写部は、感光体ドラムに形成されたトナー像をシートＳに転写する。転写部は、中間転写ベルトを備える。中間転写ベルトには、画像が形成される。中間転写ベルトに形成された画像は、シートＳに転写される。その結果、シートＳに画像が形成される。
【００１９】
給紙部４０は、シートＳを収容する。給紙部４０に収容されたシートＳは、定着部６０を経由して排出部７０から排出される。
【００２０】
搬送経路５０は、シートＳを搬送する。搬送経路５０は、給紙部４０から排出部７０までシートＳが搬送される経路である。
【００２１】
定着部６０は、トナー像をシートＳに定着させる。定着部６０は、シートＳを加熱及び加圧することで、作像部において形成された未定着のトナーを溶融させてシートＳに定着させる。
【００２２】
定着部６０は、加圧ローラーと、定着ローラーとを備える。加圧ローラーと定着ローラーとは、互いに当接してニップ部を形成する。加圧ローラーと定着ローラーとは、回転しながらニップ部においてシートＳを挟んでシートＳを搬送する。
【００２３】
排出部７０は、シートＳを画像形成装置１の外部へ排出する。
【００２４】
記憶部８０は、各種データを記憶する。各種データは、画像データを含む。記憶部８０は、例えば、制御プログラムを記憶する。制御プログラムは、例えば、画像形成部３０の動作を制御するプログラムを含む。記憶部８０は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００２５】
制御部９０は、制御プログラムを実行する。制御部９０は、ＣＰＵ（Ｃｅｎｔｒａｌ  Ｐｒｏｃｅｓｓｉｎｇ  Ｕｎｉｔ）のようなプロセッサーによって構成される。制御部９０は、画像形成装置１を動作させる集積回路を備える。制御部９０の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部９０のプロセッサーは、制御プログラムを実行して、通信部１０と撮影装置２０と画像形成部３０と給紙部４０と搬送経路５０と定着部６０と排出部７０と記憶部８０と操作装置１００とを制御する。
【００２６】
操作装置１００は、ユーザーからの操作を受け付け、操作情報を出力する。操作装置１００は、入力部１１０と、表示部１２０とを備える。入力部１１０は、ユーザーの操作を受け付ける。ユーザーの操作は、例えば、画像形成装置１の設定を変更する操作を含む。
【００２７】
表示部１２０は、画像を表示する。表示部１２０は、ディスプレーから構成される。ディスプレーは、タッチパネル機能を有するＬＣＤ（Ｌｉｑｕｉｄ  Ｃｒｙｓｔａｌ  Ｄｉｓｐｌａｙ）、またはＥＬＤ（Ｅｌｅｃｔｒｏ  Ｌｕｍｉｎｅｓｃｅｎｃｅ  Ｄｉｓｐｌａｙ）を含む。表示部１２０は、表示領域を有する。
【００２８】
タッチパネルは、ユーザーからの操作を受け付ける。タッチパネルは、操作情報を出力する。また、タッチパネルは、画像を表示する。タッチパネルは、検出部を含む。
【００２９】
検出部は、ユーザーの操作を検出する。検出部は、表示部１２０に重なるように配置される。なお、検出部は透明である。ユーザーの操作は、タッチ操作とドラッグ操作とを含む。タッチ操作は、検出部にユーザーの指を接触させる操作である。ドラッグ操作は、ユーザーの指が検出部に接触している状態で指を移動させる操作である。
【００３０】
例えば、タッチ操作を検出する場合、検出部は、ユーザーの指が接触している位置を検出する。また、ドラッグ操作を検出する場合、検出部は、ユーザーの指の擦動を検出する。擦動は、ユーザーの指が検出部に接触している状態で指が移動することを示す。検出部は、操作された位置の位置情報を制御部９０に送信する。
【００３１】
次に、図２を参照して、画像形成装置１の制御部９０について詳しく説明する。図２は、画像形成装置１のブロック図を示す。
【００３２】
制御部９０は、表示制御部１５１と、編集部１５３と、生成部１５４とを備える。制御部９０のプロセッサーは、プログラムを実行することで、表示制御部１５１、生成部１５４、及び編集部１５３として機能する。
【００３３】
表示制御部１５１は、表示部１２０を制御する。表示制御部１５１は、表示部１２０が画像を表示するように、表示部１２０を制御する。具体的には、表示制御部１５１は、操作情報に基づいて、表示部１２０が画像を表示するように、表示部１２０を制御する。
【００３４】
編集部１５３は、表示部１２０に表示された画像を編集する。具体的には、編集部１５３は、操作情報に基づいて、表示部１２０に表示された画像の位置を編集する。
【００３５】
生成部１５４は、合成画像を生成する。生成部１５４は、第２表示領域１２２に表示された複数の画像に基づいて、合成画像を生成する。合成画像は、画像と画像の少なくとも一部とが重なる画像を示す。例えば、第２表示領域１２２に２つの画像が表示されている場合、合成画像は、第１画像と第２画像の少なくとも一部とが重なる画像を示す。
【００３６】
次に、図３と図４とを参照して、画像が表示部１２０に表示される場合を説明する。図３は、撮影装置２０が生成した画像データを示す。
【００３７】
図３（ａ）は、撮影装置２０が生成した第１画像Ｐ１を示す。第１画像Ｐ１は、撮影装置２０が撮影した画像を示す。第１画像Ｐ１は、「第１撮影画像」の例に相当する。第１画像Ｐ１は、第１被写体を示す画像Ｐ１０と余白を示す画像Ｐ１１とを含む。第１被写体を示す画像Ｐ１０は、「第１被写体画像」の一例に相当する。画像Ｐ１０は、例えば、パスポートの第１ページと第２ページとを示す。余白を示す画像Ｐ１１は、第１画像Ｐ１の内の画像Ｐ１０以外の画像である。余白を示す画像Ｐ１１は、撮影装置２０が第１被写体を撮影した際に生成される。
【００３８】
第１画像Ｐ１のサイズは、例えば、Ａ４用紙と同じサイズである。第１画像Ｐ１をＡ４用紙に形成した場合、第１画像Ｐ１は、拡縮されずにシートＳに形成される。したがって、シートＳに形成された画像Ｐ１０のサイズは、第１被写体のサイズと一致する。
【００３９】
図３（ｂ）は、撮影装置２０が生成した第２画像Ｐ２を示す。第２画像Ｐ２は、撮影装置２０が撮影した画像を示す。第２画像Ｐ２は、「第２撮影画像」の一例に相当する。第２画像Ｐ２は、第２被写体を示す画像Ｐ２０と余白を示す画像Ｐ２１とを含む。第２被写体を示す画像Ｐ２０は、「第２被写体画像」の一例に相当する。画像Ｐ２０は、例えば、パスポートの第３ページと第４ページとを示す。余白を示す画像Ｐ２１は、第２画像Ｐ２の内の画像Ｐ２０以外の画像である。余白を示す画像Ｐ２１は、撮影装置２０が第２被写体を撮影した際に生成される。
【００４０】
第２画像Ｐ２のサイズは、例えば、Ａ４用紙と同じサイズである。第２画像Ｐ２をＡ４用紙に形成した場合、第２画像Ｐ２は、拡縮されずにシートＳに形成される。したがって、シートＳに形成された画像Ｐ２０のサイズは、第２被写体のサイズと一致する。
【００４１】
図４は、表示部１２０を示す。図４に示すように、撮影装置２０によって生成された第１画像Ｐ１と第２画像Ｐ２とは、表示部１２０に表示される。表示部１２０は、表示領域を有する。表示領域は、第１表示領域１２１と第２表示領域１２２とを含む。
【００４２】
図４に示すように、第１表示領域１２１は、撮影装置２０によって撮影された画像を表示する。第１表示領域１２１には、第１画像Ｐ１と第２画像Ｐ２とが表示される。具体的には、表示制御部１５１は、表示部１２０が第１画像Ｐ１と第２画像Ｐ２とを第１表示領域１２１に表示するように、表示部１２０を制御する。第１表示領域１２１は、第２表示領域１２２と比較して小さい。第１表示領域１２１は、表示部１２０の内の下側に位置する。
【００４３】
図４に示すように、第１表示領域１２１に表示される画像Ｐ１０のサイズは、図３（ａ）に示す第１被写体のサイズよりも小さい。また、第１表示領域１２１に表示される画像Ｐ２０のサイズは、図３（ｂ）に示す第２被写体のサイズよりも小さい。
【００４４】
第１表示領域１２１は、ユーザーからの操作を受け付ける。第１表示領域１２１において、検知部がユーザーからの操作を検知した場合、検知部は、操作情報を表示制御部１５１に伝送する。操作情報は、第１操作情報と第２操作情報とを含む。
【００４５】
第１操作情報は、第１表示領域１２１に表示された第１画像Ｐ１を第２表示領域１２２に表示させる操作を示す。具体的には、第１操作情報は、第１表示領域１２１に表示された第１画像Ｐ１を第１表示領域１２１から第２表示領域１２２に移動させる操作を示す。第１操作情報は、例えば、ドラッグ操作である。なお、第１操作情報は、例えば、タッチ操作であってもよい。
【００４６】
第２操作情報は、第１表示領域１２１に表示された第２画像Ｐ２を第２表示領域１２２に表示させる操作を示す。具体的には、第２操作情報は、第１表示領域１２１に表示された第２画像Ｐ２を第１表示領域１２１から第２表示領域１２２に移動させる操作を示す。第２操作情報は、例えば、ドラッグ操作である。なお、第２操作情報は、例えば、タッチ操作であってもよい。
【００４７】
図４に示すように、第１画像Ｐ１と第２画像Ｐ２とを第１表示領域１２１に表示できるため、ユーザーは、第１表示領域１２１に表示された画像から編集したい画像を選択することができる。また、ユーザーは、第１表示領域１２１に表示された画像から合成したい画像を選択することができる。
【００４８】
図４に示すように、第２表示領域１２２は、第１画像Ｐ１と第２画像Ｐ２とを表示する。第２表示領域１２２には、第１画像Ｐ１と第２画像Ｐ２の少なくとも一部とが重なるように表示される。具体的には、表示制御部１５１は、第２表示領域１２２に表示された第１画像Ｐ１と第２表示領域１２２に表示された第２画像Ｐ２の少なくとも一部とが重なるように、表示部１２０を制御する。第２表示領域１２２は、第１表示領域１２１と比較して大きい。第２表示領域１２２は、表示部１２０の内の上側に位置する。
【００４９】
図４に示すように、第２表示領域１２２に表示される画像Ｐ１０のサイズは、第１表示領域１２１に表示される画像Ｐ１０のサイズよりも大きい。また、第２表示領域１２２に表示される画像Ｐ２０のサイズは、第１表示領域１２１に表示される画像Ｐ２０のサイズよりも大きい。
【００５０】
第２表示領域１２２は、第１表示領域１２１で表示された撮影画像に対して操作があった場合、操作された撮影画像が第２表示領域１２２に表示される。例えば、第１表示領域１２１に表示された第１画像Ｐ１に対して操作があった場合、第１操作情報に基づいて、表示制御部１５１は第２表示領域１２２に第１画像Ｐ１を表示する。例えば、第１表示領域１２１に表示された第２画像Ｐ２に対して操作があった場合、操作情報に基づいて、表示制御部１５１は第２表示領域１２２に第２画像Ｐ２を表示する。
【００５１】
また、第２表示領域１２２に撮影画像が表示される場合、撮影画像の内の被写体を示す画像以外の部分は、特殊状態で表示される。具体的には、第２表示領域１２２に第１画像Ｐ１を表示する場合、表示制御部１５１は、第１画像Ｐ１の内の画像Ｐ１０以外の部分を特殊状態で表示する。つまり、表示制御部１５１は、表示部１２０が第１画像Ｐ１の余白を示す画像Ｐ１１を特殊状態で表示するように、表示部１２０を制御する。また、第２表示領域１２２に第２画像Ｐ２を表示する場合、表示制御部１５１は、第２画像Ｐ２の内の画像Ｐ２０以外の部分を特殊状態で表示する。つまり、表示制御部１５１は、表示部１２０が第２画像Ｐ２の余白を示す画像Ｐ２１を特殊状態で表示するように、表示部１２０を制御する。特殊状態とは、透明及び半透明を含む。
【００５２】
また、第２表示領域１２２に第１画像Ｐ１と第２画像Ｐ２とを表示する場合、第１画像Ｐ１と第２画像Ｐ２とは操作された順番に第２表示領域１２２に表示される。例えば、第２画像Ｐ２に対して第１画像Ｐ１を先に第２表示領域１２２に表示する場合、第２画像Ｐ２よりも先に第１表示領域１２１に表示された第１画像Ｐ１を操作する。表示制御部１５１は、第１操作情報に基づいて、第１画像Ｐ１を第２表示領域１２２に表示する。次に、第１表示領域１２１に表示された第２画像Ｐ２を操作する。表示制御部１５１は、第２操作情報に基づいて、第２画像Ｐ２を第２表示領域１２２に表示する。具体的には、表示制御部１５１は、第１画像Ｐ１と第２画像Ｐ２の少なくとも一部とが重なるように、第１画像Ｐ１と第２画像Ｐ２とを第２表示領域１２２に表示する。
【００５３】
第２表示領域１２２は、ユーザーからの操作を受け付ける。第２表示領域１２２において、検知部がユーザーからの操作を検知した場合、検知部は、操作情報を編集部１５３に伝送する。編集部１５３は、操作情報に基づいて、画像の位置を編集する。操作情報は、第３操作情報と第４操作情報とを含む。
【００５４】
第３操作情報は、第２表示領域１２２に表示された第１画像Ｐ１を第１表示領域１２１から第２表示領域１２２内で移動させる操作を示す。第２表示領域１２２に表示された第１画像Ｐ１を第２表示領域１２２内で移動させる操作は、例えば、ドラッグ操作である。例えば、編集部１５３は、第３操作情報に基づいて、第１画像Ｐ１の位置を編集する。具体的には、編集部１５３は、第３操作情報に基づいて、第１画像Ｐ１を第２表示領域１２２内で移動させて、第１画像Ｐ１と第２画像Ｐ２の少なくとも一部とが重なるように、第１画像Ｐ１の位置を編集する。
【００５５】
第４操作情報は、第２表示領域１２２に表示された第２画像Ｐ２を第２表示領域１２２内で移動させる操作を示す。第２表示領域１２２に表示された第２画像Ｐ２を第２表示領域１２２内で移動させる操作は、例えば、ドラッグ操作である。例えば、編集部１５３は、第４操作情報に基づいて、第２画像Ｐ２の位置を編集する。具体的には、編集部１５３は、第４操作情報に基づいて、第２画像Ｐ２を第２表示領域１２２内で移動させて、第１画像Ｐ１と第２画像Ｐ２の少なくとも一部とが重なるように、第２画像Ｐ２の位置を編集する。
【００５６】
第２表示領域１２２に表示された画像を編集できるため、ユーザーが所望する位置に画像を配置させることができる。
【００５７】
次に、図４と図５とを参照して、生成部１５４が合成画像ＣＰを生成する処理を説明する。図５は、合成画像ＣＰ１を示す。
【００５８】
合成画像ＣＰ１は、第１画像Ｐ１と第２画像Ｐ２とを含む画像である。具体的には、図５に示すように、合成画像ＣＰ１は、画像Ｐ１０と画像Ｐ２０とを含む。
【００５９】
生成部１５４は、第２表示領域１２２に表示された画像に基づいて、合成画像ＣＰ１を生成する。例えば、第２表示領域１２２に第１画像Ｐ１と第２画像Ｐ２とが表示されている場合、生成部１５４は、第２表示領域１２２に表示された第１画像Ｐ１と第２画像Ｐ２とに基づいて、第１画像Ｐ１と第２画像Ｐ２とを含む合成画像ＣＰ１を生成する。具体的には、図５に示すように、生成部１５４は、第２表示領域１２２に表示された第１画像Ｐ１と第２画像Ｐ２とに基づいて、画像Ｐ１０と画像Ｐ２０とを含む合成画像ＣＰ１を生成する。
【００６０】
なお、本実施形態では、画像が２つの場合を例に説明したが、画像が２つよりも多い場合でも、生成部１５４は合成画像ＣＰを生成できる。例えば、画像が３つの場合、生成部１５４は３つの画像を含む合成画像ＣＰを生成する。
【００６１】
画像形成部３０は、シートＳに合成画像ＣＰ１を示す画像を形成する。また、画像形成部３０は、シートＳの一対の面の内の一方に合成画像ＣＰ１を形成する。また、合成画像ＣＰ１に含まれる第１画像Ｐ１のサイズと第２画像Ｐ２のサイズとは変更されていない。したがって、第１画像Ｐ１に含まれる画像Ｐ１０のサイズは、第１被写体のサイズと一致する。画像Ｐ１０のサイズが第１被写体のサイズと一致するため、画像Ｐ１０の記載内容の確認が容易となる。また、第２画像Ｐ２に含まれる画像Ｐ２０のサイズは、第２被写体のサイズと一致する。画像Ｐ２０のサイズが第２被写体のサイズと一致するため、画像Ｐ２０の記載内容の確認が容易となる。この結果、ユーザーの利便性が向上する。
【００６２】
なお、２つの画像データを１枚のシートＳの一対の面の内の一方に形成することは、従来の画像形成装置の集約機能でも可能である。画像形成装置１の集約機能とは、２つの画像を縮小して１枚のシートＳに形成する機能である。しかし、第１画像Ｐ１と第２画像Ｐ２とをＡ４用紙のシートＳに形成する場合、従来の画像形成装置の集約機能は、第１画像Ｐ１のサイズをＢ５用紙のサイズに縮小し、第２画像Ｐ２のサイズをＢ５用紙のサイズに縮小する。そして、縮小された第１画像Ｐ１と縮小された第２画像Ｐ２とがシートＳに形成される。このため、第１画像Ｐ１に記載された内容と第２画像Ｐ２に記載された内容とを、確認することが困難となる。
【００６３】
次に、図１〜図６を参照して、合成画像ＣＰ１を生成するフローチャートを説明する。図６は、合成画像ＣＰを生成するフローチャートである。合成画像ＣＰ１を生成するフローチャートは、ステップＳ１〜ステップＳ１７を含む。
【００６４】
ステップＳ１：操作装置１００は、合成画像ＣＰ１を生成する旨の指示をユーザーから受け付ける。具体的には、ユーザーは、操作装置１００を操作して、合成画像ＣＰを生成するためのボタンを操作する。処理は、ステップＳ３に進む。
【００６５】
ステップＳ３：制御部９０は、撮影装置２０が第１被写体を撮影するように、撮影装置２０を制御する。具体的には、撮影装置２０は、コンタクトガラスに載置された第１被写体を撮影する。撮影装置２０は、画像Ｐ１０を含む第１画像Ｐ１を生成する。処理は、ステップＳ５に進む。
【００６６】
ステップＳ５：制御部９０は、撮影装置２０が第２被写体を撮影するように、撮影装置２０を制御する。具体的には、撮影装置２０は、コンタクトガラスに載置された第２被写体を撮影する。また、撮影装置２０は、画像Ｐ２０を含む第２画像Ｐ２を生成する。処理は、ステップＳ７に進む。
【００６７】
ステップＳ７：制御部９０は、記憶部８０が第１画像Ｐ１と第２画像Ｐ２とを記憶するように、記憶部８０を制御する。
【００６８】
ステップＳ９：表示制御部１５１は、表示部１２０が第１画像Ｐ１と第２画像Ｐ２とを第１表示領域１２１に表示するように、表示部１２０を制御する。具体的には、表示制御部１５１は、記憶部８０から第１画像Ｐ１と第２画像Ｐ２とを取得する。記憶部８０から取得した第１画像Ｐ１を第１表示領域１２１に表示する場合、表示制御部１５１は、第１画像Ｐ１のサイズが第１表示領域１２１のサイズより小さくなるように、表示部１２０を制御する。また、記憶部８０から取得した第２画像Ｐ２を第１表示領域１２１に表示する場合、表示制御部１５１は、第１画像Ｐ１のサイズが第１表示領域１２１のサイズより小さくなるように、表示部１２０を制御する。表示制御部１５１は、縮小された第１画像Ｐ１と縮小された第２画像Ｐ２とを表示部１２０が表示するように、表示部１２０を制御する。処理は、ステップＳ１１に進む。
【００６９】
ステップＳ１１：表示制御部１５１は、表示部１２０が第１画像Ｐ１と第２画像Ｐ２とを第２表示領域１２２に表示するように、表示部１２０を制御する。例えば、第１操作情報に基づいて、表示制御部１５１は、第１画像Ｐ１が第２表示領域１２２に表示されるように、表示部１２０を制御する。具体的には、第１表示領域１２１に表示された第１画像Ｐ１に対して操作があった場合、表示制御部１５１は、第１画像Ｐ１が第２表示領域１２２に表示されるように、表示部１２０を制御する。また、表示制御部１５１は、第２操作情報に基づいて、第２画像Ｐ２が第２表示領域１２２に表示されるように、表示部１２０を制御する。具体的には、第１表示領域１２１で表示された第２画像Ｐ２に対して操作があった場合、表示制御部１５１は、操作された第２画像Ｐ２が第２表示領域１２２に表示されるように、表示部１２０を制御する。更に具体的には、表示制御部１５１は、第１画像Ｐ１と第２画像Ｐ２の少なくとも一部とが重なるように表示部１２０が第２表示領域１２２に表示するように、表示部１２０を制御する。処理は、ステップＳ１３に進む。
【００７０】
ステップＳ１３： 編集部１５３は、操作情報に基づいて、第２表示領域１２２に表示された画像を編集する。例えば、編集部１５３は、第３操作情報に基づいて、第２表示領域１２２に表示された第１画像Ｐ１の位置を編集する。具体的には、編集部１５３は、第３操作情報に基づいて、第２画像Ｐ２と画像Ｐ１０とが重なるように第１画像Ｐ１の位置を編集する。また、編集部１５３は、第４操作情報に基づいて、第２表示領域１２２に表示された第２画像Ｐ２の位置を編集する。処理は、ステップＳ１５に進む。
【００７１】
ステップＳ１５：生成部１５４は、第２表示領域１２２に表示された第１画像Ｐ１と第２画像Ｐ２とに基づいて、合成画像ＣＰ１を生成する。具体的には、生成部１５４は、第２表示領域１２２に表示された第１画像Ｐ１と第２画像Ｐ２の少なくとも一部とが重なる合成画像ＣＰ１を生成する。処理はステップＳ１５に進む。
【００７２】
ステップＳ１７：制御部９０は、画像形成部３０が合成画像ＣＰ１に基づいて、シートＳの一対の面の内の一方に合成画像ＣＰ１を形成するように、画像形成部３０を制御する。具体的には、制御部９０は、合成画像ＣＰ１に基づいて、画像形成部３０がシートＳに合成画像ＣＰ１を示す画像を形成するように、画像形成部３０を制御する。この結果、図５に示すように、シートＳに合成画像ＣＰ１を示す画像が形成される。処理は、終了する。
【００７３】
以上、図１〜図６を参照して説明したように、シートＳに形成された合成画像ＣＰ１は、第１画像Ｐ１と第２画像Ｐ２とを含む。具体的には、合成画像ＣＰ１は、画像Ｐ１０と画像Ｐ２０とを含む。生成部１５４が画像Ｐ１０と画像Ｐ２０とを含む合成画像ＣＰ１を生成するため、画像形成部３０は、合成画像ＣＰ１を１枚のシートＳの一対の面の内の一方に形成できる。
【００７４】
また、第１画像Ｐ１のサイズと第２画像Ｐ２のサイズとは、変更されない。この結果、シートＳに形成された合成画像ＣＰ１に含まれる画像Ｐ１０のサイズは、第１被写体のサイズと一致する。画像Ｐ１０のサイズが第１被写体のサイズと一致するため、画像Ｐ１０の記載内容の確認が容易となる。また、シートＳに形成された合成画像ＣＰ１に含まれる画像Ｐ２０のサイズは、第２被写体のサイズと一致する。画像Ｐ２０のサイズが第２被写体のサイズと一致するため、画像Ｐ２０の記載内容の確認が容易となる。したがって、ユーザーが合成画像ＣＰ１の内容を確認することが容易となる。
【００７５】
［実施形態２］
次に図１と図２と参照して、本発明の実施形態２に係る編集部１５３について説明する。実施形態２に係る編集部１５３は、実施形態１に係る編集部１５３の「画像の位置を編集する機能」に加えて、画像を消去する機能を更に備える。画像の位置を編集する機能と画像を消去する機能とは、編集処理に含まれる。実施形態２に係る画像形成装置１その他の構成は、実施形態１に係る画像形成装置１のその他の構成と同様であり、説明を省略する。以下、主に、実施形態２が実施形態１と異なる点を説明する。
【００７６】
編集部１５３は、第２表示領域１２２に表示された第１撮影画像と第２撮影画像との各々を編集する。例えば、編集部１５３は、画像の一部を消去する。
【００７７】
図７〜図１１を参照して、編集部１５３が実行する編集処理を説明する。図７は、撮影装置２０が生成した第３画像Ｐ３と第４画像Ｐ４とを示す。
【００７８】
図７（ａ）は、撮影装置２０が生成した第３画像Ｐ３を示す。第３画像Ｐ３は、文書を示す画像である。第３画像Ｐ３は、「第１撮影画像」の一例に相当する。第３画像Ｐ３は、第３被写体を示す画像Ｐ３１と、第４被写体を示す画像Ｐ３２と、第５被写体を示す画像Ｐ３３と、余白を示す画像Ｐ３４とを含む。
【００７９】
第３被写体を示す画像Ｐ３１は、第３被写体を示す。第３被写体を示す画像Ｐ３１は、例えば、ヘッダーを示す。第３被写体を示す画像Ｐ３１は、「第１被写体画像」の一例に相当する。第４被写体を示す画像Ｐ３２は、第４被写体を示す。第４被写体を示す画像Ｐ３２は、例えば、本文示す。第４被写体を示す画像Ｐ３２は、「第１被写体画像」の一例に相当する。第５被写体を示す画像Ｐ３３は、第５被写体を示す。第５被写体を示す画像Ｐ３３は、例えば、フッターを示す。第５被写体を示す画像Ｐ３３は、「第１被写体画像」の一例に相当する。
【００８０】
第３画像Ｐ３のサイズは、例えば、Ａ４用紙のサイズと同じである。第３画像Ｐ３をＡ４用紙に形成した場合、第３画像Ｐ３は、拡縮されずにシートＳに形成される。したがって、シートＳに形成された画像Ｐ３１のサイズは、第３被写体のサイズと一致する。また、シートＳに形成された画像Ｐ３２のサイズは、第４被写体のサイズと一致する。また、シートＳに形成された画像Ｐ３３のサイズは、第５被写体のサイズと一致する。
【００８１】
図７（ｂ）は、撮影装置２０が生成した第４画像Ｐ４を示す。第４画像Ｐ４は、文書を示す。第４画像Ｐ４は、「第２撮影画像」の一例に相当する。第４画像Ｐ４は、第６被写体を示す画像Ｐ４０と、余白を示す画像Ｐ４１とを含む。第６被写体を示す画像Ｐ４０は、例えば、本文を示す。第６被写体を示す画像Ｐ４０は、「第２被写体画像」の一例に相当する。
【００８２】
第４画像Ｐ４のサイズは、例えば、Ａ４用紙のサイズと同じである。第４画像Ｐ４をＡ４用紙に形成した場合、第４画像Ｐ４は、拡縮されずにシートＳに形成される。したがって、シートＳに形成された画像Ｐ４０のサイズは、第６被写体のサイズと一致する。
【００８３】
次に、図８と図９とを参照して、編集部１５３の編集処理を説明する。図８は、本発明の実施形態２に係る画像形成装置１の表示部１２０を示す。図８に示すように、第１表示領域１２１には、第３画像Ｐ３と第４画像Ｐ４とが表示される。また、第２表示領域１２２には、第３画像Ｐ３が表示される。図８に示す第２表示領域１２２に表示される第３画像Ｐ３は、編集される前の第３画像Ｐ３である。第２表示領域１２２に表示される第３画像Ｐ３は、画像Ｐ３１と画像Ｐ３２と画像Ｐ３３とを含む。
【００８４】
図９は、本発明の実施形態２に係る画像形成装置１の表示部１２０を示す。図９に示すように、第１表示領域１２１には、第３画像Ｐ３と第４画像Ｐ４とが表示される。また、第２表示領域１２２には、第３画像Ｐ３が表示される。図９に示す第２表示領域１２２の第３画像Ｐ３は、編集された後の第３画像Ｐ３である。図９に示す第２表示領域１２２の第３画像Ｐ３は、画像Ｐ３１と画像Ｐ３３とを含む。
【００８５】
図９に示すように、第２表示領域１２２に表示された第３画像Ｐ３を編集する場合、編集部１５３は、操作情報に基づいて、第３画像Ｐ３の一部を消去する。具体的には、編集部１５３は、操作情報に基づいて、第２表示領域１２２に表示された第３画像Ｐ３の画像Ｐ３２を消去する。この結果、第２表示領域１２２に表示された第３画像Ｐ３は、画像Ｐ３２を含まない。
【００８６】
第３画像Ｐ３から画像Ｐ３２を消去する場合、ユーザーは、指を第２表示領域１２２に接触させて、画像Ｐ３２の周りを囲うように、第２表示領域１２２を擦動する。そして、ユーザーは、操作装置１００の消去ボタンを操作する。この結果、図９に示すように、第３画像Ｐ３から画像Ｐ３２が消去される。
【００８７】
また、図９に示すように、第２表示領域１２２に表示された第３画像Ｐ３の画像Ｐ３２を消去した場合、第１表示領域１２１に表示された第３画像Ｐ３からも画像Ｐ３２が消去される。
【００８８】
なお、編集部１５３は、第２表示領域１２２に表示された画像の角度を編集してもよい。また、編集部１５３は、第２表示領域１２２に表示された画像が反転するように、編集してもよい。画像の角度の編集する機能と画像を反転する機能とは、編集処理に含まれる。
【００８９】
次に、図９〜図１１を参照して、編集した第３画像Ｐ３と第４画像Ｐ４との合成画像ＣＰ２を生成する処理を説明する。図１０は、本発明の実施形態２に係る画像形成装置１の表示部１２０を示す。図１０に示すように、第２表示領域１２２には、編集された第３画像Ｐ３と、第４画像Ｐ４とが表示される。
【００９０】
編集部１５３は、操作情報に基づいて、画像の位置を編集する。例えば、編集部１５３は、第４画像Ｐ４を第２表示領域１２２内で移動させて、第３画像Ｐ３と第４画像Ｐ４の少なくとも一部とが重なるように、第４画像Ｐ４の位置を編集する。
【００９１】
図１１は、本発明の実施形態２に係る画像形成装置１の合成画像ＣＰ２を示す。図１１に示すように、合成画像ＣＰ２は、画像Ｐ３１と画像Ｐ３３と画像Ｐ４０とを含む。
【００９２】
生成部１５４は、第２表示領域１２２に表示された第３画像Ｐ３と第４画像Ｐ４とに基づいて、第３画像Ｐ３と第４画像Ｐ４とを含む合成画像ＣＰ２を生成する。具体的には、図１１に示すように、生成部１５４は、第２表示領域１２２に表示された第３画像Ｐ３と第２表示領域１２２に表示された第４画像Ｐ４とに基づいて、画像Ｐ３１と画像Ｐ３３と画像Ｐ４０とを含む合成画像ＣＰ２を生成する。
【００９３】
また、画像形成部３０は、シートＳに合成画像ＣＰ２を示す画像を形成する。具体的には、画像形成部３０は、シートＳの一対の面の内の一方に合成画像ＣＰ２を形成する。第３画像Ｐ３のサイズと第４画像Ｐ４のサイズとは変更されていない。したがって、第３画像Ｐ３に含まれる画像Ｐ３１のサイズは、第３被写体のサイズと一致する。また、第３画像Ｐ３に含まれる画像Ｐ３３は、第５被写体のサイズと一致する。また、第４画像Ｐ４に含まれる画像Ｐ４０のサイズは、第６被写体のサイズと一致する。
【００９４】
この結果、シートＳに形成された画像Ｐ３１のサイズが第３被写体のサイズと一致するため、画像Ｐ３１の記載内容の確認が容易となる。また、シートＳに形成された画像Ｐ３３のサイズが第５被写体のサイズと一致するため、画像Ｐ３３の記載内容の確認が容易となる。画像Ｐ４０のサイズが第６被写体のサイズと一致するため、画像Ｐ４０の記載内容の確認が容易となる。したがって、ユーザーが合成画像ＣＰ２の内容を確認することが容易となる。
【００９５】
以上、図面（図１〜図１１）を参照しながら本発明の実施形態を説明した。但し、本発明は、上記の実施形態に限られるものではなく、その要旨を逸脱しない範囲で種々の態様において実施することが可能である（例えば、下記に示す）。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００９６】
本発明は、画像形成装置の分野に利用可能である。
【符号の説明】
【００９７】
１      画像形成装置
２０    撮影装置
３０    画像形成部
８０    記憶部
９０    制御部
１００  操作装置
１２０  表示部
１２１  第１表示領域
１２２  第２表示領域
１５１  表示制御部
１５３  編集部
１５４  生成部
ＣＰ１    合成画像
ＣＰ２    合成画像
Ｐ１    第１画像（第１撮影画像）
Ｐ１０  画像（被写体画像）
Ｐ２    第２画像（第２撮影画像）
Ｐ２０  画像（被写体画像）
Ｐ３    第３画像（第１撮影画像）
Ｐ３１  画像（被写体画像）
Ｐ３２  画像（被写体画像）
Ｐ３３  画像（被写体画像）
Ｐ４    第４画像（第２撮影画像）
Ｐ４０  画像（被写体画像）
Ｓ      シート（記録媒体）
【図１】
2020031355.tif 000003
【図２】
2020031355.tif 000004
【図３】
2020031355.tif 000005
【図４】
2020031355.tif 000006
【図５】
2020031355.tif 000007
【図６】
2020031355.tif 000008
【図７】
2020031355.tif 000009
【図８】
2020031355.tif 000010
【図９】
2020031355.tif 000011
【図１０】
2020031355.tif 000012
【図１１】
2020031355.tif 000013